(57)【要約】【目的】１００％馬毛からなる織物を製造する方法を提供する。【構成】複数の馬毛をその長さ方向へ仮止め手段で連結してなる馬毛糸を経糸及び緯糸として生地を織り、この生地から仮止め手段を除去して１００％馬毛からなる織物を得る。【選択図】　　　図２
2004143635.tif 000002
【特許請求の範囲】
【請求項１】
複数の馬毛をその長さ方向へ仮止め手段で連結してなる馬毛糸を用いて織布するステップと、
該織布ステップで形成された生地から前記仮止め手段を除去するステップと、
を含むことを特徴とする馬毛織物の製造方法。
【請求項２】
前記馬毛糸において馬毛の端部が隣合う馬毛の端部に重なっており、少なくとも該重なり部分で仮止めされている、ことを特徴とする請求項１に記載の馬毛織物の製造方法。
【請求項３】
前記隣合う馬毛は裂け目の方向が異なる、ことを特徴とする請求項２に記載の馬毛織物の製造方法。
【請求項４】
前記仮止め手段を除去した後に生地をトリミングするステップが更に含まれる、ことを特徴とする請求項１〜３のいずれかに記載の馬毛織物の製造方法。
【請求項５】
前記仮止め手段は前記馬毛に巻き付けられた糸からなる、ことを特徴とする請求項１〜３のいずれかに記載の馬毛織物の製造方法。
【請求項６】
前記仮止めの糸は可溶性である、ことを特徴とする請求項５に記載の馬毛織物の製造方法。
【請求項７】
前記仮止めの糸は前記複数の馬毛の全体へ巻き付けられている、ことを特徴とする請求項６に記載の馬毛織物の製造方法。
【請求項８】
第１の馬毛の一端と第２の馬毛の一端とを重ね合わせ、
重ね合わされた前記第１の馬毛と前記第２の馬毛をその長さ方向へ移動させ、
移動している前記第１の馬毛と前記第２の馬毛へ仮止め糸を巻き付ける、ことを特徴とする馬毛糸の製造方法。
【請求項９】
前記第１の馬毛と前記第２の馬毛はその裂け目の方向が異なる、ことを特徴とする請求項８に記載の馬毛糸の製造方法。
【請求項１０】
前記仮止め糸は可溶性である、ことを特徴とする請求項８又は９に記載の馬毛糸の製造方法。
【請求項１１】
第１の馬毛の一端と第２の馬毛の一端とを重ね合わせる手段と、
重ね合わされた前記第１の馬毛と前記第２の馬毛をその長さ方向へ移動させる手段と、
前記第１の馬毛と前記第２の馬毛へ仮止め糸を巻き付ける手段と、
を備える馬毛糸の製造装置。
【発明の詳細な説明】
【０００１】
【産業上の利用分野】
この発明は馬毛織物の製造方法に関する。この発明によれば、経糸及び緯糸がともに馬毛（尾毛）からなる馬毛織物の製造が可能となる。
【０００２】
【従来の技術】
剛性のある馬毛は洋服の芯地などに用いられている。他方、剛毛である馬毛同士を紡ぐことは不可能であるので、この馬毛は緯糸として使用されることが多い（特許文献１等参照）。また、混紡して経糸に使用する例も提案されている（特許文献２、特許文献等参照３）
また、本件に関連する発明として特許文献４を参照されたい。
【０００３】
【特許文献１】
実開平５−５１９１３号公報
【特許文献２】
特公昭４７−３０７０３０号公報
【特許文献３】
特公昭５０−３１２２４号公報
【特許文献４】
特表２００２−５０２４６９号公報
【０００４】
【発明が解決しようとする課題】
従来の方法で形成された馬毛織物は１００％の馬毛製品ではなかったので、馬毛特有の光沢や風合いを完全に織物に反映することができなかった。
そこで本発明者は１００％馬毛からなる織物を得るべく鋭意検討を重ねてきた。
【０００５】
【課題を解決するための手段】
この発明は１００％馬毛からなる織物を形成可能とするものであり、複数の馬毛をその長さ方向へ仮止め手段で連結してなる馬毛糸を用いて織布するステップと、
該織布ステップで形成された生地から前記仮止め手段を除去するステップと、
を含むことを特徴とする馬毛織物の製造方法である。
【０００６】
以下、この発明の各要素について詳細に説明する。
（馬毛糸）
この発明で馬毛とは馬の尾毛を指す。長さの揃った馬毛の束を準備しておいて、この馬毛束から馬毛を一本一本取り出してそれらを長さ方向へ連結して一本の馬毛糸を形成する。馬毛を連結するには仮止め手段を用いる。この仮止め手段は織布後に除去される。織物に仮止め手段が残っていると織物に馬毛本来のつやや風合いが出難くなるからである。
馬毛をその長さ方向に連結するには隣合う馬毛を重ね、少なくとも当該重なり部分で両者を固定（仮止め）することが好ましい。細い馬毛の端面同士を固定することも理論的には可能であるが、作業に手間が掛かるので馬毛糸の工業的生産にはそぐわない。
隣合う馬毛はその裂け目の方向が異なるものとすることが好ましい。ここに裂け目とは馬毛が持つ一定方向の微小なノコギリ刃状態の凹凸をいい、この裂け目の方向を互い違いにすることにより当該ノコギリ刃状態の凹凸が噛み合って隣合う馬毛の連結が安定する。
【０００７】
（仮止め手段）
隣合う馬毛、即ち第１の馬毛と第２の馬毛とを仮止めする仮止め手段として仮止め糸を用いることができる。この仮止め糸を馬毛に巻き付けていくことにより馬毛を拘束し、１本の長い馬毛糸とする。隣合う馬毛において少なくともそれらの重なり部分に当該仮止め糸を巻き付ければ隣合う馬毛を安定に連結し馬毛糸とすることができる。
仮止め手段としてシース層を少なくとも隣合う馬毛の重なり部分に形成することより当該馬毛同士を連結することもできる。シース層は馬毛を全体的に若しくは部分的に囲繞する鞘状の層であって、馬毛に対して吹き付け、塗布、デッピング等の方法で形成することができる。
【０００８】
織布後に仮止め手段は除去される。これにより、織物を実施的に馬毛のみからなるものすることができる。勿論、この発明は他の繊維を織物中に混在させることを除外するものではない。
仮止め手段として用いられる仮止め糸、シース層は可溶性の材料で形成されることが好ましい。仮止め糸、接着材層は織物の洗い工程で洗浄液に溶解させることが工程数削減の見地から好ましいが、これらを溶解させる工程を別個に設けることもできる。
仮止め糸やシース層の形成材料は馬毛に影響を与えずにこれを分解及び／又は除去できるものであれば特に限定されるものではない。
【０００９】
仮止め手段を除去すると、例えば馬毛糸において馬毛が重なり合う部分で馬毛がケバダツことがあるので、このケバダチをトリミングすることが好ましい。トリミングは例えばヒト用の電動シェーバを用いて行うことができる。
【００１０】
馬毛を連結してなる馬毛糸にはコワさがのこるものの、当該馬毛糸は通常の糸と同様に扱うことができるので、この馬毛糸を用いて織布及び仮止め手段の除去を行う。このとき、経糸及び緯糸ともに当該馬毛糸を用いることにより、１００％馬毛からなる織物を得ることができる。経糸若しくは緯糸に当該馬毛糸を用い、他の糸に麻糸や綿糸を用いることも可能である。
【００１１】
【実施例】
以下、この発明の実施例について説明をする。
▲１▼　馬毛の洗浄
馬から採取された馬毛（５０ｃｍ程度）を色別に仕分け、これを洗浄する。洗浄において馬毛に付着した汚れは一本ずつ水洗され、シャンプーとリンス及びトリートメントされる。以上は手作業で行う。
▲２▼　品質検査
洗浄された馬毛を長さ別に分別し、指の感触で一定方向に馬毛が流れるように、即ち馬毛の裂け目が一定方向になるよう揃える。その後、一本ずつ光に透かして汚損、枝毛、虫食い、色、艶、太さなどを目視により検査する。人手によるこのような厳しい検査を通過する馬毛は一頭の馬から約３０ｇである。
【００１２】
▲３▼　殺菌消毒
検査に合格した馬毛を殺菌消毒する。殺菌消毒は食塩等に５〜１００日間程度漬け込むことにより行われる。漬け込みの期間は馬毛に含まれる脂肪分量等に応じて適宜調整する。この漬け込みにより馬毛が殺菌消毒されるとともに、馬毛の脱臭も行われる。その後１週間程度天日干しを行う。
【００１３】
▲４▼　馬毛糸作り
殺菌消毒された馬毛は色別に裂け目の方向を揃えて束ねられる。同色系の馬毛の束がある程度集まったら馬毛糸を紡糸する。
図１は紡糸工程を示す模式図である。図１に示すように、同色系の馬毛の束１、３を準備し、それぞれの裂け目の方向を逆向きにしておく。符号５は馬毛をその長さ方向に連結する馬毛揃え装置であり、導入部７と拘束部９とを備える。導入部７は扇方に開いており、剛性のある馬毛の先端を拘束部９へ案内する。拘束部９は２本の馬毛を通す程度の孔若しくは溝が形成されており、この拘束部９において先に導入された第１の馬毛１−１と後から導入される第２の馬毛３−１とが重なり合わされる。第１の馬毛１−１は仮止め糸１１により先の馬毛に連結されて馬毛糸１４の一部となっている。この馬毛糸１４はボビン１５の巻き取りに従い移動する。第２の馬毛３−１を導入部７へ挿入し第１の馬毛１−１と拘束部９において重ね合わせる。このとき、第１の馬毛１−１と第２の馬毛３−１とはその裂け目の方向が異なるので、各裂け目を構成するノコギリ歯状の凹凸が噛み合う。これにより、第１の馬毛１−１の移動に追従して第２の馬毛３−１も拘束部９から外側へ移動する。オペレータは馬毛の重なり部分が３〜８ｃｍ、好ましくは約５ｃｍとなるように馬毛を順次導入部７へ挿入していく。
【００１４】
符号１３は仮止め糸１１の巻回装置である。回転子１２は馬毛揃え装置５の拘束部９の出口周囲を回転し、引き揃えられた馬毛糸列に仮止め糸１１を巻回する。この実施例では図２（ａ）に示すとおり馬毛へ全体的に仮止め糸１１を巻回させたが、図２（ｂ）に示すように少なくとも馬毛の重なり部分へ仮止め糸を巻回させればよい。
仮止め糸は合成繊維からなり、この実施例では約１７０℃程度の洗浄液で溶解できるものを採用した。
このようにしてその長さ方向に連結された馬毛は馬毛糸１４としてボビン１５に巻回される。
【００１５】
▲５▼　織作業
馬毛糸には張りがあるので、馬毛糸１４を湯に浸漬して柔らかくした状態で織り上げる。織作業には高機とよばれる木製の織機を用いることが好ましい。馬毛糸の張りを可能な限り吸収・緩和できるとともに耐磨耗性に優れるからである。
織りの方法は特に限定されないがこの実施例では経糸として２〜６本の馬毛糸をランダムに用いる飛翔織を採用し、馬毛の光沢や風合いが最大限に表現できるようにした。勿論経糸にも馬毛糸が使用されている。
【００１６】
▲６▼　整理作業
織り上げられた生地は整理作業に移される。この整理作業では、まず生地を洗浄浴に浸漬し、織作業で付着した汚れを落とすとともに仮止め糸を溶解除去する。この洗浄浴には約１７０℃の溶剤系の洗浄液を使用する。その後水洗いして乾燥させる。
この洗浄時に馬毛が伸縮し、また仮止め糸による拘束が外れるので、特に馬毛の重なり部分においてケバダチが生じやすい。従って、洗浄及び乾燥が終了した後、当該ケバタチをトリミングする。この実施例ではヒト用の電動シェーバを利用したが、カミソリ、はさみ等を利用することもできる。
【００１７】
この整理作業によって仮止め糸が除去されるので、馬毛糸を構成する各馬毛のの拘束がはずされることとなる。しかしながら、馬毛には剛性があるので織り上げられた状態において各馬毛はそれが経糸（緯糸）であれば緯糸（経糸）とタイトに絡み合って相互に拘束し合い、織物から抜け落ちることはない。
【００１８】
【発明の効果】
以上説明したように、この発明の馬毛織物の製造方法によれば、仮止め手段により馬毛をその長さ方向に連結して馬毛糸を形成し、この馬毛糸を用いて生地を織る。その後、生地から仮止め手段を除去することにより実質的に１００％馬毛からなる織物の製造が可能になる。
【００１９】
この発明は、上記発明の実施の形態及び実施例の説明に何ら限定されるものではない。特許請求の範囲の記載を逸脱せず、当業者が容易に想到できる範囲で種々の変形態様もこの発明に含まれる。
【図面の簡単な説明】
【図１】図１はこの発明の実施例における馬毛糸の製造方法を説明する模式図。
【図２】図２は同じく実施例の馬毛糸の模式図。
【符号の説明】
１、３　馬毛
５　馬毛揃え装置
１３　仮止め糸巻回装置
１４　馬毛糸
【図１】
2004143635.tif 000003
【図２】
2004143635.tif 000004